(57)【要約】【課題】肘掛け本体と肘掛け本体支持部との組み立てを容易にかつ確実に行うことができる肘掛け、背凭れおよび椅子を提供する。【解決手段】肘掛け本体支持部７２に設けられて、上下方向に交差する第１斜め方向（第１方向）の外側（一方側）に開口するとともに第１斜め方向および上下方向に交差する第２斜め方向（第２方向）に対向する前側突出片７４２（側壁部）および後側突出片７５２（側壁部）が形成されて上下方向に延びる昇降溝部７４４（溝）を有する昇降溝形成部（第１係合部）７２３と、肘掛け本体７１に設けられて、第１斜め方向の内側（他方側）に突出し昇降溝部７４４に挿入される凸条部７７２を有するレール部材７７（第２係合部）と、を備え、昇降溝形成部７２３は、前側突出片７４２を有する前側部材（第１部材）７４と、後側突出片７５２を有し前側部材７４と連結された後側部材７５（第２部材）と、を備える。【選択図】図２５
2020062346.tif 000002
【特許請求の範囲】
【請求項１】
着座者が肘を掛ける肘掛け本体と、
椅子の支持構造体に支持され前記肘掛け本体が上下方向に昇降可能に取り付けられる肘掛け本体支持部と、を有する肘掛けにおいて、
前記肘掛け本体および前記肘掛け本体支持部の一方に設けられて、上下方向に交差する第１方向の一方側に開口するとともに前記第１方向および上下方向に交差する第２方向に対向する一対の側壁部が形成されて上下方向に延びる溝を有する第１係合部と、
前記肘掛け本体および前記肘掛け本体支持部の他方に設けられて、前記第１方向の他方側に突出し前記溝に挿入される凸条部を有する第２係合部と、を備え、
前記第１係合部は、前記一対の側壁部の一方を有する第１部材と、前記一対の側壁部の他方を有し前記第１部材と連結された第２部材と、を備えることを特徴とする肘掛け。
【請求項２】
前記凸条部が前記溝に挿入された前記肘掛け本体と前記肘掛け本体支持部とが前記第１方向の互いに離間する側に移動することを規制する移動規制部を有することを特徴とする請求項１に記載の肘掛け。
【請求項３】
前記移動規制部は、前記一対の側壁部のそれぞれに形成され、互いに対向する側に開口し上下方向に延びる第１溝部と、
前記凸条部の前記第２方向の両側それぞれに形成され、互いに離反する側に開口し上下方向に延びる第２溝部と、
前記一対の側壁部それぞれと前記凸条部との間に設けられ、前記第１溝部および前記第２溝部に一体に挿入されて前記一対の側壁部および前記凸条部と上下方向に相対移動可能な抜け止め防止部材と、を有することを特徴とする請求項２に記載の肘掛け。
【請求項４】
前記肘掛け本体および前記肘掛け本体の一方を覆う第１カバー部を有し、
前記凸条部、前記一対の側壁部が前記第１カバー部の内部に配置されていることを特徴とする請求項１乃至３のいずれか一項に記載の肘掛け。
【請求項５】
前記第１係合部を覆う第２カバー部を有することを特徴とする請求項１乃至４のいずれか一項に記載の肘掛け。
【請求項６】
請求項１乃至５のいずれか一項に記載の肘掛けを有する背凭れにおいて、
着座者が背を凭せ掛ける背凭れ本体を有し、
前記肘掛け本体は、前記背凭れ本体の幅方向の外側に配置されていることを特徴とする背凭れ。
【請求項７】
請求項１乃至５のいずれか一項に記載の肘掛けを有することを特徴とする椅子。
【発明の詳細な説明】
【技術分野】
【０００１】
本発明は、肘掛け、背凭れおよび椅子に関する。
【背景技術】
【０００２】
椅子の肘掛けとして、着座者が肘を掛ける肘掛け本体と、椅子の支持構造体に支持されて肘掛け本体が昇降可能に取り付けられた肘掛け本体支持部と、を有する肘掛けが知られている（例えば、特許文献１参照）。
【０００３】
特許文献１に開示された肘掛けでは、肘掛け本体は、着座者が肘を置く肘置き部と、肘置き部の下側に連結された上下方向に延びる棒状の摺動部材と、肘置き部および摺動部材と連結され摺動部材の周囲を覆う上下方向に延びる筒状のカバー部と、を有している。カバー部材は、上下方向に延びる筒体を左右方向に分割した２つの部材で構成され、２つの部材が左右から連結されることで筒体を構成している。
【０００４】
肘掛け本体支持部は、カバー部の外側に配置され、椅子の支持構造体や背凭れなどに取り付けられる取付部材と、カバー部の内側に配置されカバー部材に形成された溝部を介して取付部材と連結されるガイド部材と、を有している。ガイド部材には、上方に開口し上下方向に延びて、摺動部材が昇降可能に挿入されるガイド孔が形成されている。ガイド部材は、摺動部材をガイド部材に対する複数の高さ位置で係止できるように構成されている。
摺動部材の外周部およびガイド孔の内周部には、互いに係合する部材が設けられている。
【先行技術文献】
【特許文献】
【０００５】
【特許文献１】独国特許出願公開第１０２０１５２１９５４６号明細書
【発明の概要】
【発明が解決しようとする課題】
【０００６】
特許文献１に開示された肘掛けでは、組み立ての際に、ガイド孔に上方から摺動部材を挿入するため、ガイド孔の内部を目視することができず、摺動部材がガイド孔に対して正しい向きで挿入されているかどうかや、摺動部材の外周部およびガイド孔の内周部の互いに係合する部材が係合しているかどうかを確認することが困難である。また、摺動部材を、カバー部の筒体を構成する２つの部材の少なくとも１つと連結した状態でガイド孔に挿入するため、カバー部材がガイド部材や作業者と干渉し、作業性が良くないという問題がある。
【０００７】
そこで、本発明は、肘掛け本体と肘掛け本体支持部との組み立てを容易にかつ確実に行うことができる肘掛け、背凭れおよび椅子を提供することを目的とする。
【課題を解決するための手段】
【０００８】
上記目的を達成するため、本発明に係る肘掛けは、着座者が肘を掛ける肘掛け本体と、椅子の支持構造体に支持され前記肘掛け本体が上下方向に昇降可能に取り付けられる肘掛け本体支持部と、を有する肘掛けにおいて、前記肘掛け本体および前記肘掛け本体支持部の一方に設けられて、上下方向に交差する第１方向の一方側に開口するとともに前記第１方向および上下方向に交差する第２方向に対向する一対の側壁部が形成されて上下方向に延びる溝を有する第１係合部と、前記肘掛け本体および前記肘掛け本体支持部の他方に設けられて、前記第１方向の他方側に突出し前記溝に挿入される凸条部を有する第２係合部と、を備え、前記第１係合部は、前記一対の側壁部の一方を有する第１部材と、前記一対の側壁部の他方を有し前記第１部材と連結された第２部材と、を備えることを特徴とする。
【０００９】
本発明に係る背凭れは、上記の肘掛けを有する背凭れにおいて、着座者が背を凭せ掛ける背凭れ本体を有し、前記肘掛け本体が前記背凭れ本体の幅方向の外側に配置されていることを特徴とする。
【００１０】
本発明に係る椅子は、上記の肘掛けを有することを特徴とする。
【００１１】
本発明では、第１係合部は、互いに連結される第１部材と第２部材とを有し、第１部材と第２部材との間に溝が形成され、この溝に第２係合部の凸条部が配置されている。このため、本発明では、第１部材および第２部材を、それぞれの側壁部で凸条部を第２方向から挟むように配置し、第１部材と第２部材とを連結することで、凸条部が溝に挿入された状態とすることができる。第１部材と第２部材とを連結する前には、溝の内部を目視することができるため、溝の内部に凸条部が正しい向きに配置されているかどうかを確認することができ、第１係合部と第２係合部とを容易にかつ確実に係合させることができる。
また、組立の際に、第１係合部や第２係合部を移動させて凸条部を溝に挿入させる構成ではないため、第１係合部や第２係合部の移動に伴う部材間の干渉が生じることを防止することができる。
これらのことにより、肘掛け本体と肘掛け本体支持部との組み立てを容易にかつ確実に行うことができる。
【００１２】
また、本発明に係る肘掛けでは、前記凸条部が前記溝に挿入された前記肘掛け本体と前記肘掛け本体支持部とが前記第１方向の互いに離間する側に移動することを規制する移動規制部を有していてもよい。
このような構成とすることにより、肘掛け本体と肘掛け本体支持部とが第１方向に位置ずれして離間することを防止することができる。
【００１３】
また、本発明に係る肘掛けでは、前記移動規制部は、前記一対の側壁部のそれぞれに形成され、互いに対向する側に開口し上下方向に延びる第１溝部と、前記凸条部の前記第２方向の両側それぞれに形成され、互いに離反する側に開口し上下方向に延びる第２溝部と、前記一対の側壁部それぞれと前記凸条部との間に設けられ、前記第１溝部および前記第２溝部に一体に挿入されて前記一対の側壁部および前記凸条部と上下方向に相対移動可能な抜け止め防止部材と、を有していてもよい。
このような構成とすることにより、第１溝部および第２溝部に挿入された抜け止め防止部材によって、肘掛け本体と肘掛け本体支持部とが第１方向に位置ずれして離間することを防止することができる。
そして、それぞれ側壁部を有する第１部材と第２部材とは互いに連結される別部材であるため、第１部材と第２部材とを連結する前に、第１部材、第２部材および凸条部に対して抜け止め防止部材が正しい向きに配置されているかどうかを目視することができる。これにより、抜け止め防止部材を容易に設置することができる。
【００１４】
また、本発明に係る肘掛けでは、前記肘掛け本体および前記肘掛け本体の一方を覆う第１カバー部を有し、前記凸条部、前記一対の側壁部が前記第１カバー部の内部に配置されていてもよい。
このような構成とすることにより、第１係合部と第２係合部との係合部分（肘掛け本体と肘掛け本体支持部との連結部分）が露出しないため、肘掛けの意匠性を向上させることができる。
【００１５】
また、本発明に係る肘掛けでは、前記第１係合部を覆う第２カバー部を有していてもよい。
このような構成とすることにより、第１係合部における第１部材と第２部材との連結部分が露出しないため、肘掛けの意匠性を向上させることができる。
【発明の効果】
【００１６】
本発明によれば、肘掛け本体と肘掛け本体支持部との組み立てを容易にかつ確実に行うことができる。
【図面の簡単な説明】
【００１７】
【図１】本発明の実施形態による椅子の一例を示す斜視図である。
【図２】本発明の実施形態による椅子の正面図である。
【図３】本発明の実施形態による椅子の背面図である。
【図４】背凭れ支持部と外周枠部の連結構造を示す斜視図である。
【図５】背凭れ支持部の斜視図である。
【図６】図４のＡ−Ａ線断面図である。
【図７】図４のＢ−Ｂ線断面図である。
【図８】図４のＣ−Ｃ線断面図である。
【図９】図４のＤ−Ｄ線断面図である。
【図１０】外周枠部の斜め前方から見た斜視図である。
【図１１】外周枠部の斜め後方から見た斜視図である。
【図１２】肘掛けの斜視図である。
【図１３】肘掛けの分解斜視図である。
【図１４】肘掛け本体支持部の斜視図である。
【図１５】前側部材を後方から見た斜視図である。
【図１６】図１４のＥ−Ｅ線断面図である。
【図１７】後側部材を前方から見た斜視図である。
【図１８】肘掛け本体の斜視図である。
【図１９】肘掛け本体カバー部を省略した肘掛け本体の斜視図である。
【図２０】レール部材および高さ位置拘束手段の斜視図である。
【図２１】図２０の分解図である。
【図２２】図１８のＦ−Ｆ線断面図である。
【図２３】通常状態の高さ位置拘束手段を示す図である。
【図２４】操作状態の高さ位置拘束手段を示す図である。
【図２５】図１２のＧ−Ｇ線断面図である。
【図２６】レール部材と前側部材および後側部材とが連結された様子を説明する図である。
【図２７】下側内板部が取り付けられた様子を示す図である。
【図２８】カバーの本体部が取り付けられた様子を示す図である。
【図２９】最上位置にある肘掛け本体を説明する図で肘掛け本体カバー部を省略した図である。
【図３０】最上位置にある肘掛け本体を説明する図である。
【発明を実施するための形態】
【００１８】
以下、本発明の実施形態による背凭れおよび椅子について、図１−３０に基づいて説明する。
図１−図３に示すように、本実施形態による椅子１は、支持構造体２と、座部３と、背凭れ４と、を有している。
以下の説明において、椅子１に着座した着座者が前を向く方向を前側、その反対側を後側とし、前側と後側とを結ぶ水平方向を前後方向とする。また、前後方向に直交する水平方向を幅方向とする。椅子１は、幅方向に対称な形状となっている。幅方向について、椅子１全体における幅方向の中央に対する幅方向の両端側を「幅方向の外側」と表記し、幅方向の端部に対する幅方向の中央側を「幅方向の内側」と表記することがある（図２および図３参照）。
【００１９】
支持構造体２は、脚体２１と、脚柱２２と、支基２３と、背凭れ支持部２４と、を有している。
脚体２１は、平面視で放射状に配置された複数の脚杆２１１を有している。各脚杆２１１の先端部には、それぞれ床面に接地するキャスタ２１２が設けられている。
脚柱２２は、脚体２１の中央に立設している。脚柱２２は、ガススプリングを内蔵した伸縮式で、脚体２１に固定された外筒２２１と、外筒２２１に挿通され外筒２２１よりも上側に延びる内筒２２２と、を有ししている。内筒２２２は、外筒２２１に対して昇降可能に構成されているとともに、外筒２２１と相対回転可能に構成されている。
【００２０】
支基２３は、脚柱２２の上端部に固定されている。支基２３の上部には、座部３が配置され、支基２３の後部には、背凭れ支持部２４が配置されている。
支基２３は、背凭れ４を支持する背凭れ支持部２４を傾動可能（回動可能）に支持するとともに、着座面を形成する座部３を背凭れ支持部２４と連動して傾動可能に支持している。
【００２１】
（背凭れ支持部）
図４−図５に示すように、背凭れ支持部２４は、支基２３（図１−図３参照）に連結され支基２３よりも後方に延びる下側フレーム２４１と、下側フレーム２４１の後端部から上方に延びる後側フレーム２４２と、を有している。下側フレーム２４１と後側フレーム２４２とは、一体に形成されている。背凭れ支持部２４は、幅方向から見た側面視でＬ字形状をなしている。
【００２２】
下側フレーム２４１は、それぞれ前後方向に延びて幅方向に間隔をあけて配置された一対の後方延出部２４３と、一対の後方延出部２４３の前後方向の中間部同士を連結する下側連結部２４４とを有している。一対の後方延出部２４３のうちの幅方向の一方側の後方延出部２４３は、前端部が支基２３の幅方向の一方側に連結され、幅方向の他方側の後方延出部２４３は、前端部が支基２３の幅方向の他方側に連結されている。
【００２３】
後側フレーム２４２は、一対の後方延出部２４３の後端部から上側に向かって漸次前側に向かう方向に延びる一対の上方延出部２４５と、一対の上方延出部２４５の上端部同士を連結する上側連結部２４６と、を有している。
上側連結部２４６は、幅方向の全体にわたって幅方向の中央が後側に凹むように湾曲している。
【００２４】
一対の上方延出部２４５は、幅方向に間隔をあけて設けられている。一対の上方延出部２４５のうちの一方の上方延出部２４５は、椅子１の幅方向の中央よりも幅方向の一方側に位置し、他方の上方延出部２４５は、椅子１の幅方向の中央よりも幅方向の他方側に位置している。このため、一対の上方延出部２４５は、互いに対向する側が幅方向の内側となり、互いに離間する側が幅方向の外側となる。
一対の上方延出部２４５は、下側から上側に向かって漸次前側に向かう方向に延びる棒状に形成され背凭れ４が固定される連結部５と、連結部５の後縁部５７から幅方向の外側に突出する突出板部２６と、をそれぞれ有している。
【００２５】
図５に示すように、連結部５には、溝状や、凹状、孔状の肉抜き部が適宜形成されている。連結部５の外周面は、概ね前側を向く面を連結部前面５１と、概ね後方を向く面を連結部後面５２と、概ね幅方向の内側を向く面を連結部内側面５３と、概ね幅方向の外側を向く面を連結部外側面５４と、から構成されている。「・・側を向く面」や、「・・方向を向く面」とは、その法線が「・・側」や「・・方向に」に延びている面を示している。
【００２６】
連結部後面５２は、下側から上側に向かって漸次前側に向かうとともに、幅方向の外側から内側に向かって漸次後側に向かう面に形成されている。連結部後面５２は、上側連結部２４６の後面と角部や段差なく連続している。
連結部前面５１は、下側から上側に向かって漸次前側に向かうとともに、幅方向の外側から内側に向かって漸次後側に向かう面に形成されている。連結部前面５１は、連結部後面５２とほぼ平行となっている。
【００２７】
連結部内側面５３は、後端部近傍が幅方向の内側よりもやや後側を向く面に形成され、それよりも前側の部分が幅方向の内側を向く面に形成されている。
連結部外側面５４は、後側から前側に向かって漸次幅方向の内側に向かう面に形成されている。連結部外側面５４は、連結部後面５２および連結部前面５１と略直交する面となっている。
連結部５は、後側から前側に向かって漸次幅方向の寸法が小さくなっている。
【００２８】
連結部５には、背凭れ４の背凭れ本体４１を固定する第１ボルト６１（図６および図７参照）が挿入される第１孔部５５が上下方向に間隔をあけて２つ形成され、背凭れ４の肘掛け本体支持部７２を固定する第２ボルト６２（図８および図９参照）が挿入される第２孔部５６が上下方向に間隔をあけて２つ形成されている。
２つの第２孔部５６は、２つの第１孔部５５の間に形成されている。
【００２９】
図６および図７に示すように、連結部５には、上下方向に間隔をあけた２か所それぞれに、前側開口する前側凹部５５１と、前側凹部５５１の後側に位置し後側に開口する後側凹部５５２と、が形成されている。前側凹部５５１と後側凹部５５２とは、中間板部５５３を介して略前後方向に並んで配置されている。中間板部５５３は、板面が前後方向を向く板状に形成され、正面視における中央部分に前後方向に貫通する孔部が形成されている。この孔部が第１孔部５５となっている。
図５に戻り、連結部５は、上側に位置する前側凹部５５１の上部に切込み部５５４が形成されていて、切込み部５５４を介して前側凹部５５１の内部が連結部５の上方に連通するように構成されている。切込み部５５４は、前側凹部５５１における幅方向の外側部分の上部に位置している。
【００３０】
図８および図９に示すように、連結部５には、２つの第１孔部５５（図５参照）の間に、上下方向に間隔をあけた２か所それぞれに、幅方向の内側に開口する内側凹部５６１が形成されている。本実施形態では、内側凹部５６１は後方にも開口している。内側凹部５６１の底面５６２は、前側から後側に向かって漸次幅方向の外側に向かう面に形成されている。内側凹部５６１の底面５６２は、連結部外側面５４と平行に配置されている。
【００３１】
連結部５には、内側凹部５６１の底面５６２から連結部外側面５４まで貫通する孔部が形成されている。この孔部が第２孔部５６となっている。第２孔部５６は、幅方向の内側から外側に向かって漸次前側に向かう斜め方向に連結部５を貫通している。第２孔部５６の貫通方向は、連結部前面５１、連結部後面５２に沿った方向で、幅方向の内側から外側に向かって漸次前側に向かう第１斜め方向となっている。
第１斜め方向は、幅方向の内側から外側に向かって漸次前側に向かう方向、およびその反対側となる幅方向の外側から内側に向かって漸次後側に向かう方向を示している。第１斜め方向は、略水平方向となっている。
第１斜め方向における幅方向の内側から外側に向かって漸次前側に向かう側を外側とし、反対側となる幅方向の外側から内側に向かって漸次後側に向かう側を内側とする。
【００３２】
図５、図８、図９に示すように、突出板部２６は、連結部５の後縁部５７から第１斜め方向に突出する板状に形成され、その面が上側連結部２４６の湾曲に沿った面となっている。突出板部２６の後面２６１は、連結部後面５２と段差や屈曲部４６２を介さず滑らかに連続している。突出板部２６の前面２６２は、第２孔部５６よりも後側に位置している。これにより、突出板部２６は、第２孔部５６と干渉しないように構成されている。突出板部２６は、上側から下側に向かって連結部５から幅方向の外側に突出する寸法が短くなっていて、板面が上側から下側に向かって幅方向の寸法が漸次短くなる略三角形状となっている。
【００３３】
（背凭れ）
図１−図４に示すように、背凭れ４は、背凭れ支持部２４の後側フレーム２４２の前側に配置されている。
背凭れ４は、着座者が背を凭せ掛ける背凭れ本体４１と、背凭れ本体４１の幅方向の外側に配置され着座者が肘を掛ける肘掛け７と、を有している。
背凭れ本体４１は、内側に開口部４２１が形成された四角枠状の外周枠部４２と、開口部４２１を覆い外周枠部４２に係止される面材４３（図１−図３参照）と、を有している。図４では、面材４３を省略している。
面材４３は、メッシュや布などの膜状の部材で構成され、外周枠部４２の前側から見た正面視形状よりも大きく形成されて、外縁部が外周枠部４２に係止されている。
【００３４】
図４、図１０、図１１に示すように、外周枠部４２は、上枠部４４、下枠部４５と、一対の縦枠部４６と、を有している。
一対の縦枠部４６は、幅方向に間隔をあけて設けられている。一対の縦枠部４６のうちの一方の縦枠部４６は、椅子１の幅方向の中央よりも幅方向の一方側に位置し、他方の縦枠部４６は、椅子１の幅方向の中央よりも幅方向の他方側に位置している。このため、一対の縦枠部４６は、互いに対向する側が幅方向の内側となり、互いに離間する側が幅方向の外側となる。
【００３５】
上枠部４４は、幅方向に延びる部材で、正面視で幅方向の中央が上側に張り出すとともに、上側から見た平面視で幅方向の中央が後側に張り出すように幅方向全体にわたって湾曲している。上枠部４４には、面材４３（図１−図３参照）の上縁部を係止する上枠面材係止溝部４４１が形成されている。上枠面材係止溝部４４１は、上側に開口する溝部で、上枠部４４の幅方向全体にわたって形成されている。
下枠部４５は、幅方向に延びる部材で、正面視で幅方向の中央が下側に張り出すとともに、平面視で幅方向の中央が後側に張り出すように幅方向全体にわたって湾曲している。下枠部４５には、面材４３の下縁部を係止する下枠面材係止溝部４５１が形成されている。下枠面材係止溝部４５１は、下側に開口する溝部で、下枠部４５の幅方向全体にわたって形成されている。
【００３６】
一対の縦枠部４６は、上下方向の中間部に屈曲部４６２が形成されている。
一対の縦枠部４６は、幅方向から見た側面視で、屈曲部４６２よりも下側の部分が下側から上側に向かって漸次前側に向かう方向に延び、屈曲部４６２よりも上側の部分が下側から上側に向かって漸次後側に向かう方向に延びている。また、一対の縦枠部４６は、正面視で屈曲部４６２よりも下側が下側から上側に向かって漸次幅方向の外側に向かう方向に延び、屈曲部４６２よりも上側が下側から上側に向かって漸次幅方向の内側に向かう方向に延びている。屈曲部４６２は、一対の縦枠部４６それぞれの上下方向の中央よりも下側に位置している。
【００３７】
一対の縦枠部４６は、それぞれ面材４３を係止する面材係止部４６３と、面材係止部４６３と連続して形成され、背凭れ支持部２４に固定される背凭れ連結部４６４と、面材係止部４６３から後側に突出するリブ４６５と、を有している。
【００３８】
面材係止部４６３は、縦枠部４６の上下方向全体にわたって設けられていて、上端部が上枠部４４と接続され、下端部が下枠部４５と接続されている。一対の縦枠部４６のうちの一方の縦枠部４６の面材係止部４６３は、上端部が上枠部４４の幅方向の一方側の端部と接続され、下端部が下枠部４５の幅方向の一方側の端部と接続されている。一対の縦枠部４６のうちの他方の縦枠部４６の面材係止部４６３は、上端部が上枠部４４の幅方向の他方側の端部と接続され、下端部が下枠部４５の幅方向の他方側の端部と接続されている。
【００３９】
面材係止部４６３には、面材４３の側縁部を係止する縦枠面材係止溝部４６１が形成されている。縦枠面材係止溝部４６１は、幅方向の内側に開口する溝部で、上下方向全体にわたって形成されている。
一対の縦枠面材係止溝部４６１は、それぞれ上枠面材係止溝部４４１および下枠面材係止溝部４５１と連続している。これにより、外周枠部４２には、外周部全体にわたって面材４３を係止するための溝部が形成されている。
【００４０】
図１０および図１１に示すように、背凭れ連結部４６４は、縦枠部４６における屈曲部４６２よりも下側の部分全体に設けられている。背凭れ連結部４６４は、面材係止部４６３の幅方向の内側に設けられている。背凭れ連結部４６４の下端部は、下枠部４５と接続されている。
背凭れ連結部４６４は、面材係止部４６３の屈曲部４６２よりも下側の部分の後縁部から幅方向の内側に向かって漸次後側に延びる連結板部４７と、連結板部４７から後側に突出する連結突出部４８と、を有している。
【００４１】
連結板部４７は、上下方向に延びる長尺に形成され、下端部が下枠部４５と接続されている。連結板部４７は、前方を向く連結板部前面４７１が前後方向の前側よりもやや幅方向の内側を向く面となり、後方を向く連結板部後面４７２が前後方向の後側よりもやや幅方向の外側を向く面となっている。連結板部４７は、平面視において下枠部４５に沿った形状に形成されている。
【００４２】
連結突出部４８は、１つの連結板部４７に対して上下方向に間隔をあけて２つ設けられている。図１１に示すように、連結突出部４８は、連結板部４７から後側に突出する筒状部４８１と、筒状部４８１の先端部（後端部）を覆うように接続された先端板部４８２と、を有している。先端板部４８２は、板面が前後方向を向く平板状に形成され、板面の中央に前後方向に貫通する第３孔部４８３が形成されている。
図６および図７に示すように、連結突出部４８は、背凭れ支持部２４の連結部５の前側凹部５５１に前側から嵌合する形状に形成されている。連結突出部４８は、背凭れ支持部２４の連結部５の前側凹部５５１に嵌合すると、第３孔部４８３が前側凹部５５１の第１孔部５５と前後方向に重なるように設定されている。
【００４３】
図１１に示すように、リブ４６５は、縦枠部４６の上下方向の中間部分で、屈曲部４６２およびその上下の領域を含む部分に設けられている。リブ４６５は、板面が幅方向を向く板状に形成されている。リブ４６５の下端部は、上側に配置された連結突出部４８の筒状部４８１の側面と接続されている。リブ４６５の下部側には、後方および下方に開口する切り欠き部４６６が形成されている。
【００４４】
図１および図２に示すように、面材４３は、外周枠部４２の内側を覆うように縦枠部４６の前側に張られ、上枠部４４、下枠部４５および一対の縦枠部４６の前面を巻きこんで、外縁部が面材係止溝部４４１，４５１，４６１に挿入されて外周枠部４２に係止されている。面材４３が形成し、着座者が背を凭せ掛ける面を背凭れ面４３１とする。背凭れ面４３１は、幅方向の中央が幅方向の外側端部よりも後側に凹むように湾曲している。
外周枠部４２に張られた面材４３は、前方から作用した荷重によって弾性変形可能に構成されている。また、外周枠部４２も面材４３に作用した荷重によって弾性変形可能に構成されている。
【００４５】
外周枠部４２は、面材４３が張られた状態で背凭れ支持部２４に固定されている。外周枠部４２は、背凭れ支持部２４の後側フレーム２４２の前側に固定されている。
図４に示すように、一対の縦枠部４６の背凭れ連結部４６４は、後側フレーム２４２における上方延出部２４５の連結部５の前側に配置されている。背凭れ連結部４６４の連結板部４７は、連結板部後面４７２が連結部５の連結部前面５１と当接している。背凭れ連結部４６４の連結突出部４８は、連結部５の前側凹部５５１に挿入されている。
【００４６】
前後方向に重なった背凭れ連結部４６４の連結突出部４８の先端板部４８２に形成された第３孔部４８３と、背凭れ支持部２４の連結部５の前側凹部５５１の第１孔部５５と、に挿通された第１ボルト６１がナットに締結されることによって、外周枠部４２が背凭れ支持部２４に連結されている。
一対の縦枠部４６のリブ４６５は、上側の連結突出部４８と連続している下端部分が連結部５の前側凹部５５１の上側に形成された切込み部５５４に挿入され、この下端部分よりも上側の部分が連結部５の上方に配置されている。
【００４７】
背凭れ本体４１を背凭れ支持部２４に固定するには、まず、面材４３を外周枠部４２に取り付けた状態とする。
外周枠部４２の一対の縦枠部４６の背凭れ連結部４６４を、後側フレーム２４２における上方延出部２４５の連結部５の前側に配置する。そして、背凭れ連結部４６４の連結板部４７の連結板部後面４７２を連結部５の連結部前面５１に当接させる。また、背凭れ連結部４６４の連結突出部４８を、連結部５の前側凹部５５１に挿入する。
このようにすることで、背凭れ連結部４６４の連結突出部４８の先端板部４８２に形成された第３孔部４８３と、背凭れ支持部２４の連結部５の前側凹部５５１の第１孔部５５と、が前後方向に重なり、これらの第１孔部５５および第３孔部４８３に第１ボルト６１を挿通し、ナット６３と締結する。これにより背凭れ本体４１が背凭れ支持部２４に連結される。なお、ナット６３は、連結突出部４８の内部に固定されていてもよい。
このようにすると、互いに連結された背凭れ支持部２４および背凭れ本体４１との間には、背凭れ支持部２４の突出板部２６、連結部５における連結部外側面５４、および背凭れ本体４１の縦枠部４６の面材係止部４６３に囲まれて略上下方向に延びて、第１斜め方向の外側に開口する凹部２７が形成される。この凹部２７には、肘掛け７の肘掛け本体支持部７２が挿入される。
【００４８】
（肘掛け）
図１２および図１３に示すように、肘掛け７は、着座者が肘を掛ける肘掛け本体７１と、背凭れ支持部２４に固定され肘掛け本体７１を昇降可能に支持する肘掛け本体支持部７２と、肘掛け本体支持部７２を覆うカバー部材７３（第２カバー部）と、を有している。
【００４９】
（肘掛け本体支持部）
図１３および図１４に示すように、肘掛け本体支持部７２は、長尺のブロック状の部材で略上下方向に延びる前側部材７４（第１部材）と、長尺のブロック状の部材で略上下方向に延びる向きで前側部材７４の後側に連結される後側部材７５（第２部材）と、を有している。前側部材７４および後側部材７５は、それぞれアルミニウム合金などの金属で成形され、ボルトなどの連結具（不図示）で連結されている。前側部材７４および後側部材７５が本発明の第１係止部に相当している。
前側部材７４と後側部材７５とが連結された肘掛け本体支持部７２は、上下方向から見た形状が第１斜め方向に延びている。
【００５０】
図１４および図１５に示すように、前側部材７４は、第１斜め方向の内側に位置する前側連結部７４１と、前側連結部７４１の前側部分から第１斜め方向の外側に向かって突出する前側突出片７４２（側壁部）と、を有している。
前側連結部７４１の前方を向く面（前面７４１ａとする）および前側突出片７４２の前方を向く面（前面７４２ａとする）は、それぞれ前後方向の前側よりもやや幅方向の内側を向く面に形成されている。前側連結部７４１の前面７４１ａおよび前側突出片７４２の前面７４２ａは、第１斜め方向に沿った面に形成されている。前側連結部７４１の前面７４１ａおよび前側突出片７４２の前面７４２ａに直交する方向で、第１斜め方向に直交する方向を第２斜め方向とする。第２斜め方向のうち、前後方向の前側よりもやや幅方向の内側に向かう側を前側とし、その反対側で前後方向の後側よりもやや幅方向の外側に向かう側を後側とする。前側連結部７４１の前面７４１ａおよび前側突出片７４２の前面７４２ａは、第２斜め方向の前側を向いていることになる。
図１４に示すように、前側連結部７４１の前面７４１ａと、前側突出片７４２の前面７４２ａとは、面一に配置されている。
【００５１】
図１５に示すように、前側連結部７４１の後方を向く面（後面７４１ｂとする）には、第１斜め方向の中間部に第１段部７４１ｃが形成され、第１段部７４１ｃよりも第１斜め方向の外側となる外側部分７４１ｄが、第１段部７４１ｃよりも第１斜め方向の内側となる内側部分７４１ｅよりも前側に位置している。前側連結部７４１の後面７４１ｂにおける外側部分７４１ｄおよび内側部分７４１ｅは、共に第２斜め方向の後側を向く面に形成されている。
前側突出片７４２の後方を向く面（後面７４２ｂとする）は、第２斜め方向の後側を向く面に形成されている。前側突出片７４２の後面７４２ｂは、前側連結部７４１の後面における外側部分７４１ｄよりも前側に位置している。前側突出片７４２の後面７４２ｂと前側連結部７４１の後面７４１ｂとの間には第２段部７４２ｃが形成されている。
【００５２】
図１３に示すように、前側連結部７４１の第１斜め方向の内側の側面（第１側面７４１ｆとする）は、第１斜め方向の内側を向く面に形成されている。
図１３および図１６に示すように、前側連結部７４１には、第１斜め方向の内側の部分に第１斜め方向の内側に開口する凹部状の第４孔部７４３が形成されている。第４孔部７４３の周面には、ネジ山が形成されている。第４孔部７４３は、上下方向に間隔をあけて２か所設けられている。
【００５３】
図１４および図１６に示すように、後側部材７５は、平板状に形成されている。
後側部材７５の前側を向く面（前面７５ａとする）は、第２斜め方向の前側を向く面に形成されている。後側部材７５の後側を向く面（後面７５ｂとする）は、第２斜め方向の後側を向く面に形成されている。
後側部材７５は、前側部材７４の第１段部７４１ｃに第１斜め方向の内側の端部７５ｃが位置し、前側部材７４の前側連結部７４１よりも第１斜め方向の外側に突出するように配置される。
【００５４】
後側部材７５は、前側連結部７４１の後側に配置されて前側連結部７４１と連結される後側連結部７５１と、後側連結部７５１の第１斜め方向の外側に配置され、前側連結部７４１よりも第１斜め方向の外側に突出する後側突出片７５２（側壁部）と、を有している。
図１４に示すように、後側部材７５は、後側連結部７５１の第１斜め方向の内側の縁部が、前側部材７４の前側連結部７４１の第１段部７４１ｃに沿い、後側連結部７５１が第１段部７４１ｃの第１斜め方向の外側に配置された状態で前側部材７４と連結されている。後側連結部７５１が第１段部７４１ｃの第１斜め方向の外側に配置されることにより、前側部材７４と後側部材７５との位置決めが容易となる。
【００５５】
上記のように、前側部材７４と後側部材７５とが連結されると、前側突出片７４２と後側突出片７５２とは、第２斜め方向に間隔をあけて平行に配置されている。これにより、肘掛け本体支持部７２には、前側連結部７４１よりも第１斜め方向の外側に前側突出片７４２と後側突出片７５２とに挟まれた昇降溝部７４４（溝）が形成されている。
【００５６】
連結されている前側部材７４の前側連結部７４１と、後側部材７５の後側連結部７５１とを合わせて第１基部７２１とする。また、連結されている前側部材７４と後側部材７５とにおける昇降溝部７４４を形成している部分（前側突出片７４２、後側突出片７５２および前側連結部７４１の第１斜め方向の外側の端面）を合わせて昇降溝形成部７２３（第１係合部）とする。
第１基部７２１の前面７２１ａは、前側連結部７４１の前面７４１ａを示し、第１基部７２１の後面７２１ｂは、前側連結部７４１の後面７４１ｂのうちの内側部分７４１ｅおよび後側連結部７５１の後面７５１ｂを示し、第１基部７２１の上面７２１ｃは、前側連結部７４１および後側連結部７５１の上面を示し、第１基部７２１の下面７２１ｄは、前側連結部７４１および後側連結部７５１の下面を示す。また、第１基部７２１の第１斜め方向の内側の第１側面７２１ｅは、前側連結部７４１の第１側面７４１ｆを示す。
【００５７】
図１５に示すように、前側突出片７４２の後面７４２ｂには、上下方向に延びる第１前側突出片溝部７４５（第１溝部）と、上下方向に延びる第２前側突出片溝部７４６と、が形成されている。第１前側突出片溝部７４５および第２前側突出片溝部７４６は、第１前側突出片溝部７４５が第２前側突出片溝部７４６の第１斜め方向の外側に離間して配置されている。第１前側突出片溝部７４５および第２前側突出片溝部７４６は、それぞれ第２斜め方向の後側に開口している。
【００５８】
第１前側突出片溝部７４５は、上下方向に間隔をあけて２か所形成されている。２つの第１前側突出片溝部７４５は、ほぼ同じ形状に形成されている。
第１前側突出片溝部７４５は、上下方向に延びる丸溝部７４５ｃと、丸溝部７４５ｃの上端部に連続して設けられ溝幅が丸溝部７４５ｃの溝幅よりも大きい上溝部７４５ｄと、丸溝部７４５ｃの下端部に連続して設けられ溝幅が丸溝部７４５ｃの溝幅よりも大きい下溝部７４５ｅと、を有している。丸溝部７４５ｃの断面は、半円弧状に形成されている。
【００５９】
上側の第１前側突出片溝部７４５の上溝部７４５ｄは、前側突出片７４２の上端部よりもやや下側に位置している。下側の第１前側突出片溝部７４５の下溝部７４５ｅは、下端部が前側突出片７４２の下端部よりも上側に位置している。上側の第１前側突出片溝部７４５の下溝部７４５ｅと、下側の第１前側突出片溝部７４５の上溝部７４５ｄとは、上下方向に離間している。
上溝部７４５ｄの上端部に位置する下向きの端面を前側突出片溝部上側端面７４５ａとし、下溝部７４５ｅの下端部に位置する上向きの端面を前側突出片溝部下側端面７４５ｂとする。
前側突出片７４２には、第１前側突出片溝部７４５と第２斜め方向に重なる位置に、第２斜め方向に貫通する孔部７４７が形成されている。孔部７４７は、前側突出片７４２における２つの第１前側突出片溝部７４５それぞれの丸溝部７４５ｃの上部側および下部側と重なる位置に形成されている。
【００６０】
第２前側突出片溝部７４６は、上下方向に延びる上下溝部７４６ａと、上下溝部７４６ａから第１斜め方向の内側に突出する複数の突出溝部７４６ｂと、を有している。
上下溝部７４６ａは、前側突出片７４２の高さ方向のほぼ全体にわたって上下方向に延びている。上下溝部７４６ａは、上端部が前側突出片７４２の上端部よりもやや下側に位置し、下端部が前側突出片７４２の下端部よりもやや上側に位置している。
突出溝部７４６ｂは、上下方向に等間隔をあけて複数形成されている。図１５に示す第２前側突出片溝部７４６には、１１の突出溝部７４６ｂが設けられている。複数の突出溝部７４６ｂは、それぞれ上下溝部７４６ａと連続していて、上下溝部７４６ａとほぼ同じ深さに形成されている。
【００６１】
前側突出片７４２の第１斜め方向の外側の端面および後面には、第１滑り材７６１が張り付けられている。第１滑り材７６１は、第１前側突出片溝部７４５と干渉しない位置に張り付けられている。
【００６２】
図１７に示すように、後側突出片７５２の前面７５２ａには、上下方向に延びる第１後側突出片溝部７５５（第１溝部）と、上下方向に延びる第２後側突出片溝部７５６と、が形成されている。第１後側突出片溝部７５５および第２後側突出片溝部７５６は、第１後側突出片溝部７５５が第２後側突出片溝部７５６の第１斜め方向の外側に離間して配置されている。第１後側突出片溝部７５５および第２後側突出片溝部７５６は、それぞれ第２斜め方向の前側に開口している。
【００６３】
第２後側突出片溝部７５６は、上下方向に間隔をあけて２か所形成されている。２つの第２後側突出片溝部７５６は、ほぼ同じ形状に形成されている。
第２後側突出片溝部７５６は、上下方向に延びる丸溝部７５５ｃと、丸溝部７５５ｃの上端部に連続して設けられ溝幅が丸溝部７５５ｃの溝幅よりも大きい上溝部７５５ｄと、丸溝部７５５ｃの下端部に連続して設けられ溝幅が丸溝部７５５ｃの溝幅よりも大きい下溝部７５５ｅと、を有している。丸溝部７５５ｃの断面は、半円弧状に形成されている。
【００６４】
上側の第２後側突出片溝部７５６の上溝部７５５ｄは、後側突出片７５２の上端部よりもやや下側に位置している。下側の第２後側突出片溝部７５６の下溝部７５５ｅは、下端部が後側突出片７５２の下端部よりも上側に位置している。上側の第２後側突出片溝部７５６の下溝部７５５ｅと、下側の第２後側突出片溝部７５６の上溝部７５５ｄとは、上下方向に離間している。
上溝部７５５ｄの上端部に位置する下向きの端面を後側突出片溝部上側端面７５５ａとし、下溝部７５５ｅの下端部に位置する上向きの端面を後側突出片溝部下側端面７５５ｂとする。
後側突出片７５２には、第２後側突出片溝部７５６と第２斜め方向に重なる位置に、第２斜め方向に貫通する孔部７５７が形成されている。孔部７５７は、後側突出片７５２における２つの第２後側突出片溝部７５６それぞれの丸溝部７５５ｃの上部側および下部側と重なる位置に形成されている。
【００６５】
第２後側突出片溝部７５６は、上下方向に延びる上下溝部７５６ａと、上下溝部７５６ａから第１斜め方向の外側に突出する複数の突出溝部７５６ｂと、を有している。
上下溝部７５６ａは、後側突出片７５２の高さ方向のほぼ全体にわたって上下方向に延びている。上下溝部７５６ａは、上端部が後側突出片７５２の上端部よりもやや下側に位置し、下端部が後側突出片７５２の下端部よりもやや上側に位置している。
突出溝部７５６ｂは、上下方向に等間隔をあけて複数形成されている。図１７に示す第２後側突出片溝部７５６には、１１の突出溝部７５６ｂが設けられている。複数の突出溝部７５６ｂは、それぞれ上下溝部７５６ａと連続していて、上下溝部７５６ａとほぼ同じ深さに形成されている。
【００６６】
後側突出片７５２の第１斜め方向の外側の端面および前面には、第２滑り材７６２が張り付けられている。第２滑り材７６２は、第１後側突出片溝部７５５と干渉しない位置に張り付けられている。
【００６７】
（肘掛け本体）
図１８に示すように、肘掛け本体７１は、上側に設けられて前後方向に延びる上部杆７１１と、後側に設けられて上部杆７１１の後端部から下側に向かって漸次後側に向かう斜め方向に延びる後部杆７１２と、上部杆７１１の前側部分の上部に取り付けられた肘乗せ部７１３と、を有している。肘掛け本体７１は、上部杆７１１および後部杆７１２を覆う肘掛け本体カバー部７１４を有している。
【００６８】
肘掛け本体７１は、肘掛け本体支持部７２（図１３参照）の幅方向の外側に配置され、後部杆７１２が幅方向の外側から肘掛け本体支持部７２に取り付けられている。後部杆７１２は、肘掛け本体支持部７２よりも上下方向に長く形成されている。
肘掛け本体カバー部７１４は、上部杆７１１の幅方向の両側および下側、後部杆７１２の幅方向の外側、前側、後側および下側を覆う本体部７８１と、上部杆７１１および後部杆７１２の幅方向の内側を覆う内板部７８２（第１カバー部）と、上部杆７１１および後部杆７１２の上側を覆う上板部７８３と、を有している。
本体部７８１は、上方に開口している。本体部７８１には、幅方向の内側および上側に開口し、内板部７８２が上側からはめ込まれる開口部７８１ａが形成されている。
【００６９】
内板部７８２は、平板状に形成され、その板面が幅方向を向く姿勢で本体部７８１の開口部７８１ａに上側から嵌め込まれている。内板部７８２は、上下２つに分割されている。分割された内板部７８２のうちの下側を下側内板部７８４とし、上側を上側内板部７８５とする。下側内板部７８４および上側内板部７８５は、下側内板部７８４が本体部７８１の開口部７８１ａに上側から嵌め込まれた後に、上側内板部７８５が本体部７８１の開口部７８１ａに上側から嵌め込まれ、上下方向に配列された状態となる。下側内板部７８４と上側内板部７８５とは、当接して開口部７８１ａに配置されるとともに、下側内板部７８４の下端部が本体部７８１の開口部７８１ａの下端部と当接し、下側内板部７８４の上端部が本体部７８１の開口部７８１ａの上端部（本体部７８１の上端部）と同じ高さに配置されている。
【００７０】
下側内板部７８４には、幅方向に貫通し上下方向に延びる下側溝部７８４ａが前後方向に間隔をあけて２つ形成されている。２つの下側溝部７８４ａは、それぞれ上端部が下側内板部７８４の上端に達し、上方に開口している。下側溝部７８４ａの下端部は、下板内板部の下端部よりも上側に配置されている。このため、下側溝部７８４ａは、下側には開口していない。
下側内板部７８４の上部側における２つの下側溝部７８４ａの間には、幅方向に貫通し上側に開口する下側切り欠き部７８４ｂが形成されている。下側切り欠き部７８４ｂは、２つの下側溝部７８４ａと連通している。
【００７１】
上側内板部７８５には、幅方向に貫通し上下方向に延びる上側溝部７８５ａが前後方向に間隔をあけて２つ形成されている。２つの上側溝部７８５ａは、それぞれ下端部が上側内板部７８５の上端に達し、下方に開口している。上側溝部７８５ａの上端部は、上板内板部の上端部よりも下側に配置されている。このため、上側溝部７８５ａは、上側には開口していない。
上側内板部７８５の下部側における２つの上側溝部７８５ａの間には、幅方向に貫通し下側に開口する上側切り欠き部７８５ｂが形成されている。上側切り欠き部７８５ｂは、２つの上側溝部７８５ａと連通している。
【００７２】
下側内板部７８４の上側に上側内板部７８５が配置されると、下側溝部７８４ａの上側に上側溝部７８５ａが連続して配置され、下側切り欠き部７８４ｂの上側に上側切り欠き部７８５ｂが連続して配置される。これにより、内板部７８２には、２つの上側溝部７８５ａと２つの下側溝部７８４ａとが連続した２つの肘掛け本体カバー溝部７１４ａ，７１４ｂが前後方向に間隔をあけて形成されている。また、内板部７８２には、下側切り欠き部７８４ｂと上側切り欠き部７８５ｂとが連続した肘掛け本体カバー切り欠き部７１４ｃが上下方向の中間部に形成されている。
【００７３】
２つの肘掛け本体カバー溝部７１４ａ，７１４ｂは、肘掛け本体支持部７２の前側突出片７４２および後側突出片７５２が挿通されるように構成されている。
２つの肘掛け本体カバー溝部７１４ａ，７１４ｂのうち、前側の肘掛け本体カバー溝部を前側肘掛け本体カバー溝部７１４ａとし、後側の肘掛け本体カバー溝部を後側肘掛け本体カバー溝部７１４ｂとする。
前側肘掛け本体カバー溝部７１４ａは、前側部材７４の前側突出片７４２が貫通し、後側肘掛け本体カバー溝部７１４ｂは、後側部材７５の後側突出片７５２が貫通する。前側肘掛け本体カバー溝部７１４ａを貫通した前側突出片７４２は、後部杆７１２の内部に配置される。後側肘掛け本体カバー溝部７１４ｂを貫通した後側突出片７５２は、後部杆７１２の内部に配置される。
【００７４】
上板部７８３は、本体部７８１および内板部７８２の上部に取り付けられている。上板部７８３は、上部杆７１１における後側部分の上部に取り付けられていて、肘乗せ部７１３の後側に位置している。
【００７５】
図１９に示すように、上部杆７１１は、肘掛け本体カバー部７１４の内部に設けられて、構造部材となる板金部材７１６を有している。板金部材７１６は、前後方向に延びる形状に形成されている。
板金部材７１６の前側部材の上部には、肘乗せ部７１３が取り付けられている。本実施形態では、肘乗せ部７１３は、板金部材７１６に前後方向および幅方向に移動可能に支持されている。
板金部材７１６の後側部材の上部には、上板部７８３が配置される。
【００７６】
後部杆７１２は、肘掛け本体支持部７２と上下方向に相対移動可能に係合するレール部材７７（第２係合部）と、レール部材７７を肘掛け本体支持部７２に対して複数の高さ位置に拘束可能な高さ位置拘束手段７９と、を有している。
【００７７】
レール部材７７は、上下方向に延びる長尺の部材で構成されている。レール部材７７は、上下方向の寸法が後部杆７１２の上下方向の寸法よりもやや小さくなるように形成され、肘掛け本体カバー部７１４の内部に収容されている。レール部材７７の上下方向の寸法は、肘掛け本体支持部７２の上下方向の寸法よりも長く設定されている。レール部材７７は、上端部分が上部杆７１１の板金部材７１６の後端部分に固定されている。本実施形態では、レール部材７７は金属で形成されていて、後述する第２基部７７１の上端部分が板金部材７１６に溶接されている。
【００７８】
図２０および図２１に示すように、レール部材７７は、上下方向に延びる棒状の第２基部７７１と、第２基部７７１の上端部から第１斜め方向の内側に突出する上側突出片７７３と、第２基部７７１の下端部から第１斜め方向の内側に突出する下側突出片７７４と、第２基部７７１における上側突出片７７３と下側突出片７７４との間の全体から第１斜め方向の内側に突出する凸条部７７２と、を有している。凸条部７７２は、肘掛け本体支持部７２の昇降溝部７４４に挿入される。
【００７９】
第２基部７７１の外周面のうちの幅方向の内側の部分（内側面７７１ａとする）は、第２斜め方向に沿った面で、第１斜め方向の内側を向く面となっている。
上側突出片７７３は、第２基部７７１の内側面７７１ａの第２斜め方向の中間部分を除いた前側部分および後側部分それぞれから第１斜め方向の内側に突出している。前側の上側突出片７７３と後側の上側突出片７７３との間には、隙間７７３ｂが形成されている。第２基部７７１の上部には、前側の上側突出片７７３と後側の上側突出片７７３との隙間７７３ｂの第１斜め方向の外側に連続する第２基部上側切り欠き部７７１ｂが形成されている。
【００８０】
下側突出片７７４は、第２基部７７１の内側面７７１ａの第２斜め方向の全体から第１斜め方向の内側に突出している。
上側突出片７７３および下側突出片７７４は、それぞれ第２斜め方向の前側から後側に向かって漸次突出長さが長くなっていて、先端面７７３ａ，７７４ａが前後方向に沿った幅方向の内側を向く面となっている。
【００８１】
凸条部７７２は、第２基部７７１の内側面７７１ａの第２斜め方向の中間部分から第１斜め方向の内側に突出している。凸条部７７２は、第２斜め方向の前側から後側に向かって漸次突出長さが長くなっていて、先端面７７２ｅが前後方向に沿った幅方向の内側を向く面となっている。凸条部７７２の先端面７７２ｅは、上側突出片７７３および下側突出片７７４の先端面７７３ａ，７７４ａと面一となっている。
凸条部７７２の外周面のうちの前方を向く面（前面７７２ａとする）は、第２斜め方向の前側を向く面に形成されている。凸条部７７２の外周面のうちの後方を向く面（後面７７２ｂとする）は、第２斜め方向の前側を向く面に形成されている。凸条部７７２の前面７７２ａと後面７７２ｂとは平行になっている。
【００８２】
図２０−図２２に示すように、凸条部７７２の前面７７２ａには、上下方向の略全体にわたって延びる凸条部前側溝部７７２ｃ（第２溝部）が形成されている。凸条部前側溝部７７２ｃの断面は、円弧状に形成されている。
凸条部７７２の後面７７２ｂには、上下方向の略全体にわたって延びる凸条部後側溝部７７２ｄ（第２溝部）が形成されている。凸条部後側溝部７７２ｄの断面は、円弧状に形成されている。
【００８３】
凸条部７７２には、上側部分に、上下方向に延びて、第１斜め方向の内側（凸条部７７２が突出する側）に開口する凸条部先端側溝部７７５が形成されている。凸条部先端側溝部７７５は、凸条部７７２の上端部まで達し、前側の上側突出片７７３と後側の上側突出片７７３との隙間７７３ｂを介して上方に開口している。
凸条部先端側溝部７７５は、高さ位置拘束手段７９が配置されるように構成されている。
【００８４】
凸条部７７２における凸条部先端側溝部７７５の第２斜め方向の両側の部分を溝部形成片７７６ａ，７７６ｂとする。２つの溝部形成片７７６ａ，７７６ｂは、それぞれ下部側に上部側よりも第１斜め方向の内側に突出する溝部形成片突出部７７７を有している。溝部形成片突出部７７７には、第１斜め方向の内側（凸条部７７２が突出する側）に開口する溝部形成片切り欠き部７７７ａが形成されている。溝部形成片７７６における溝部形成片突出部７７７が形成されている部分よりも上側の部分を溝部形成片上側部分７７８とする。
また、凸条部７７２における凸条部先端側溝部７７５が形成されている部分よりも下側の部分を凸条部下側部分７７９とする。溝部形成片突出部７７７は、凸条部下側部分７７９よりも第１斜め方向の内側に突出している。溝部形成片突出部７７７の下端部と凸条部下側部分７７９の上端部は上下方向に離間している。凸条部下側部分７７９の上端面７７９ａは、凸条部先端側溝部７７５が延びる方向（上下方向）を向く平坦面に形成されている。
【００８５】
高さ位置拘束手段７９は、上部杆７１１に設けられた操作レバー７１５（図１９参照）と接続され、操作レバー７１５の操作によって、レール部材７７が肘掛け本体支持部７２に係止された状態と、係止が解除された状態とに切り替えるように構成されている。
高さ位置拘束手段７９は、操作レバー７１５と接続され操作レバー７１５の操作によって上下方向に移動する移動部７９１と、移動部７９１の移動によって肘掛け本体支持部７２に係止された状態と係止が解除された状態とが切り替わるピン７９３と、移動部７９１を上側に付勢するばね７９４と、を有している。
【００８６】
移動部７９１は、上下方向に延びる棒状の棒状部７９５と、棒状部７９５の上端部に接続され棒状部７９５よりも第１斜め方向の外側に突出する操作レバー接続部７９６と、棒状部７９５の下端部に接続され棒状部７９５よりも第１斜め方向の内側に突出するピン支持部７９７とピン支持部７９７の第１斜め方向の内側から下側に延びるガイド片７９８と、を有している。
【００８７】
ピン支持部７９７には、第２斜め方向に貫通する長孔部７９７ａが形成されている。長孔部７９７ａは、第２斜め方向（長孔部７９７ａが貫通する方向）から見て、第１斜め方向の外側から内側に向かって漸次上側に向かう斜め方向に延びている。
【００８８】
移動部７９１は、棒状部７９５およびピン支持部７９７がレール部材７７の凸条部先端側溝部７７５に配置され、操作レバー接続部７９６が前側の上側突出片７７３と後側の上側突出片７７３との隙間および第２基部上側切り欠き部７７１ｂに配置され、ガイド片７９８が凸条部下側部分７７９の第１斜め方向の内側に配置された状態に設置される。
移動部７９１が上記のように設置されると、ピン支持部７９７は、凸条部下側部分７７９の上側に配置されている。ピン支持部７９７と凸条部下側部分７７９との間にばね７９４が設けられている。ばね７９４は、ピン支持部７９７を上方に付勢していて、これにより、移動部７９１が上方に付勢されるように構成されている。
【００８９】
また、移動部７９１が上記のように設置されると、ピン支持部７９７の長孔部７９７ａは、２つの溝部形成片突出部７７７の溝部形成片切り欠き部７７７ａと第２斜め方向に重なった位置に配置されている。
長孔部７９７ａの上下方向の寸法は、溝部形成片切り欠き部７７７ａの上下方向の寸法よりも大きく設定されている。長孔部７９７ａの第１斜め方向の寸法は、溝部形成片切り欠き部７７７ａの第１斜め方向の寸法とほぼ同じに設定されている。
ピン支持部７９７の長孔部７９７ａおよび２つの溝部形成片突出部７７７の溝部形成片切り欠き部７７７ａには、ピン７９３が挿入されている。ピン７９３は、円柱状に形成され、第２斜め方向に延びる向きで長孔部７９７ａに挿入されている。
ガイド片７９８は、凸条部下側部分７７９の第１斜め方向の内側の面（凸条部７７２の先端面７７２ｅ）と当接している。
【００９０】
図１８に示すように、操作レバー７１５は、肘掛け本体カバー部７１４を前後方向に貫通して設けられている。図１９に示すように、操作レバー７１５は、肘掛け本体カバー部７１４（図１８参照）の内部に配置され移動部７９１の操作レバー接続部７９６の上側に位置する押圧部７１５ａと、肘掛け本体カバー部７１４の外部に配置され、着座者が操作可能な操作部７１５ｂと、を有している。
操作レバー７１５は、押圧部７１５ａが操作部７１５ｂの後側に設けられていて、幅方向に延びる回動軸部７１５ｃの軸線まわりに回動可能に構成されている。回動軸部７１５ｃは、上部杆７１１の板金部材７１６に配置されている。すなわち、操作レバー７１５は、板金部材７１６に対して回動可能に構成されている。
操作部７１５ａは、肘掛け本体カバー部７１４の下側に位置していて、着座者が下側から上側に押して操作可能に構成されている。操作レバー７１５は、操作部７１５ａが下側から押されると、回動軸部７１５ｃの軸線回りに回動し、押圧部７１５ｂが下側に移動し、移動部７９１を下側に押圧する。
【００９１】
移動部７９１は、操作レバー７１５の操作によって下側に押圧されると、ばね７９４を圧縮して下側に移動し、操作レバーの操作によって下方向の押圧が解除されるとばね７９４の復元力によって上側に戻るように構成されている。移動部７９１に下方向の負荷が作用している状態を操作状態とし、下方向の負荷が作用していない状態を通常状態とする。
図２３に示すように、移動部７９１は、通常状態では、長孔部７９７ａの下端部分７９７ｂが溝部形成片切り欠き部７７７ａと第２斜め方向に重なる。
図２４に示すように、移動部７９１は、操作状態では、長孔部７９７ａの上端部分７９７ｃが溝部形成片切り欠き部７７７ａと第２斜め方向に重なる。
【００９２】
このため、ピン７９３は、通常状態では溝部形成片切り欠き部７７７ａおよび長孔部７９７ａの下端部分７９７ｂを貫通し、操作状態では溝部形成片切り欠き部７７７ａおよび長孔部７９７ａの上端部分７９７ｃを貫通している。
溝部形成片切り欠き部７７７ａは、第１斜め方向に延びていて上下方向の寸法がピン７９３の外形とほぼ同じに設定されている。このため、溝部形成片切り欠き部７７７ａを貫通しているピン７９３は、溝部形成片切り欠き部７７７ａが形成されたレール部材７７と上下方向に相対移動できず、溝部形成片切り欠き部７７７ａに沿って第１斜め方向のみに相対移動するように構成されている。
【００９３】
長孔部７９７ａの上端部分７９７ｃは、下端部分７９７ｂよりも第１斜め方向の内側に配置されている。このため、ピン７９３は、操作状態となって上端部分７９７ｃを貫通した状態となると、通常状態よりも第１斜め方向の内側に配置されることになる。
ガイド片７９８は、通常状態および操作状態のいずれの状態でも凸条部下側部分７７９の第１斜め方向の内側の面（凸条部７７２の先端面７７２ｅ）と当接、または僅かな隙間をあけて対向している。これにより、通常状態から操作状態、および操作状態から通常状態に変位する移動部７９１は、常に凸条部７７２の凸条部下側部分７７９に沿って上下方向に変位し、第１斜め方向などの水平方向に変位したり、回動したりすることが防止されている。
【００９４】
図２２に示すように、レール部材７７および高さ位置拘束手段７９は、肘掛け本体カバー部７１４の内部に、肘掛け本体カバー部７１４の内板部７８２の第１斜め方向の外側に配置されるように設置されている。
レール部材７７の凸条部７７２は、内板部７８２の前側肘掛け本体カバー溝部７１４ａと後側肘掛け本体カバー溝部７１４ｂとの間と第１斜め方向に重なる位置に配置され、凸条部７７２の先端面７７２ｅが内板部７８２と当接している。
図１８に示すように、内板部７８２の下側内板部７８４は、凸条部７７２にネジなどの固定具で固定されている。
【００９５】
レール部材７７の上側突出片７７３の下面は、上側内板部７８５の２つの上側溝部７８５ａの上端部と同じ高さに配置され、レール部材７７の下側突出片７７４の上面は、下側内板部７８４の２つの下側溝部７８４ａの下端部と同じ高さに配置されている。
【００９６】
凸条部７７２の溝部形成片突出部７７７、高さ位置拘束手段７９の移動部７９１のピン支持部７９７、ガイド片７９８、およびピン７９３は、内板部７８２の肘掛け本体カバー切り欠き部７１４ｃに配置されている。凸条部７７２の溝部形成片突出部７７７、高さ位置拘束手段７９の移動部７９１ピン支持部７９７およびガイド片７９８は、内板部７８２よりも第１斜め方向の内側に突出している。ピン７９３は、第１斜め方向の内側に移動すると、内板部７８２よりも第１斜め方向の内側に配置される。
【００９７】
図２５に示すように、凸条部７７２は、前側肘掛け本体カバー溝部７１４ａおよび後側肘掛け本体カバー溝部７１４ｂを貫通して肘掛け本体カバー部７１４の内部に配置された肘掛け本体支持部７２の前側突出片７４２と後側突出片７５２との間の昇降溝部７４４に挿入されている。
第２基部７７１の内側面７７１ａは、前側突出片７４２および後側突出片７５２の先端面と滑り材７６１，７６２を介して当接している。
【００９８】
凸条部７７２の前面７７２ａは、前側突出片７４２の後面７４２ｂと間隔をあけて対向している。凸条部７７２の前面７７２ａの凸条部前側溝部７７２ｃは、前側突出片７４２の後面７４２ｂの２つの第１前側突出片溝部７４５それぞれと対向している。
凸条部前側溝部７７２ｃと２つの第１前側突出片溝部７４５それぞれとの間には上下方向に延びる円柱状の第１抜け止め防止部材７６３が設けられている。第１抜け止め防止部材７６３の表面は滑り面に形成されている。
【００９９】
２つの第１抜け止め防止部材７６３は、第１前側突出片溝部７４５の長さ方向の寸法よりもやや短い長さ寸法に形成され、前側部分が２つの第１前側突出片溝部７４５それぞれに挿入されている。第１前側突出片溝部７４５に挿入された第１抜け止め防止部材７６３は、第１前側突出片溝部７４５の前側突出片溝部上側端面７４５ａおよび前側突出片溝部下側端面７４５ｂと当接することによって前側突出片７４２に対する上下方向の変位が規制されている。
第１抜け止め防止部材７６３の後側部分は、凸条部７７２の凸条部前側溝部７７２ｃに挿入されている。凸条部前側溝部７７２ｃに挿入された第１抜け止め防止部材７６３は、凸条部７７２に対して凸条部前側溝部７７２ｃに沿って上下方向に相対変位可能に構成されている。
【０１００】
凸条部７７２の後面７７２ｂは、後側突出片７５２の前面７５２ａと間隔をあけて対向している。凸条部７７２の後面７７２ｂの凸条部後側溝部７７２ｄは、後側突出片７５２の前面７５２ａの２つの第１後側突出片溝部７５５それぞれと対向している。
凸条部後側溝部７７２ｄと２つの第１後側突出片溝部７５５それぞれとの間には上下方向に延びる円柱状の第２抜け止め防止部材７６４が設けられている。第２抜け止め防止部材７６４の表面は滑り面に形成されている。
凸条部前側溝部７７２ｃと２つの第１後側突出片溝部７５５それぞれとの間には上下方向に延びる円柱状の第２抜け止め防止部材７６４が設けられている。第２抜け止め防止部材７６４の表面は滑り面に形成されている。
【０１０１】
第２抜け止め防止部材７６４は、第１後側突出片溝部７５５の長さ方向の寸法よりもやや短い長さ寸法に形成され、前側部分が２つの第１後側突出片溝部７５５それぞれに挿入されている。第１後側突出片溝部７５５に挿入された第２抜け止め防止部材７６４は、第１後側突出片溝部７５５の後側突出片溝部上側端面７５５ａおよび後側突出片溝部下側端面７５５ｂと当接することによって後側突出片７５２に対する上下方向の変位が規制されている。
２つの第２抜け止め防止部材７６４の後側部分は、凸条部７７２の凸条部後側溝部７７２ｄに挿入されている。凸条部後側溝部７７２ｄに挿入された第２抜け止め防止部材７６４は、凸条部７７２と凸条部後側溝部７７２ｄに沿って上下方向に相対変位可能に構成されている。
【０１０２】
このような肘掛け本体７１は、レール部材７７の凸条部７７２が肘掛け本体支持部７２の昇降溝部７４４に挿入された状態で、肘掛け本体支持部７２に対して、上下方向に昇降可能に構成されている。そして、上述したように、レール部材７７の凸条部７７２と肘掛け本体支持部７２の前側突出片７４２と間に凸条部前側溝部７７２ｃおよび第１前側突出片溝部７４５に一体に挿入された第１抜け止め防止部材７６３が設けられ、レール部材７７の凸条部７７２と肘掛け本体支持部７２の後側突出片７５２との間に凸条部後側溝部７７２ｄおよび第１後側突出片溝部７５５に一体に挿入された第２抜け止め防止部材７６４が設けられている。
これにより、肘掛け本体７１および肘掛け本体支持部７２に、互いが第１斜め方向に沿って離間するような力が作用した場合でも、肘掛け本体支持部７２がレール部材７７から離れて肘掛け本体７１から抜け出ることが防止されている。
【０１０３】
肘掛け本体支持部７２の前側突出片７４２に形成された凸条部前側溝部７７２ｃ、後側突出片７４２に形成された凸条部後側溝部７７２ｄ、レール部材７７の凸条部７７２に形成された凸条部前側溝部７７２ｃ、凸条部後側溝部７７２ｄ、第１抜け止め防止部材７６３および第２抜け止め防止部材７６４は、凸条部７７２が昇降溝部７４４に挿入された肘掛け本体７１と肘掛け本体支持部７２とが第１斜め方向の互いに離間する側に移動することを規制する移動規制部を構成している。
【０１０４】
図２３および図２４に示すように、高さ位置拘束手段７９のピン７９３は、一方の端部（第２斜め方向の前側の端部）が前側突出片７４２の第２前側突出片溝部７４６に挿入され、他方の端部（第２斜め方向の後側の端部）が後側突出片７５２の第２後側突出片溝部７５６に挿入されている。
ピン７９３は、通常状態では第２前側突出片溝部７４６の複数の突出溝部７４６ｂのうちのいずれか１つおよび第２後側突出片溝部７５６の複数の突出溝部７５６ｂのうちのいずれか１つに挿入されている。通常状態でピン７９３が挿入される第２前側突出片溝部７４６の突出溝部７４６ｂと第２後側突出片溝部７５６の突出溝部７５６ｂとは同じ高さに位置している。
ピン７９３は、第２前側突出片溝部７４６の突出溝部７４６ｂおよび第２後側突出片溝部７５６の突出溝部７５６ｂに挿入されると、上下方向の移動が拘束されている。
【０１０５】
ピン７９３は、移動部７９１が操作レバー７１５の操作によって下側に押されて通常状態から操作状態となると、通常状態の位置よりも第１斜め方向の内側に配置される。このため、ピン７９３は、前側突出片７４２の第２前側突出片溝部７４６の上下溝部７４６ａおよび後側突出片７５２の第２後側突出片溝部７５６の上下溝部７５６ａに挿入される。
ピン７９３は、上下溝部７４６ａ、７５６ａに挿入されると上下方向に移動可能となる。
この状態で、着座者が肘掛け本体７１を引き上げたり押し下げたりすることで肘掛け本体７１が昇降する。肘掛け本体７１を所望の高さとし、操作レバー７１５の操作を解除すると、移動部７９１が上側に移動し、ピン７９３が操作状態の位置よりも第１斜め方向の外側に配置される。これにより、ピン７９３は、第２前側突出片溝部７４６の突出溝部７４６ｂおよび第２後側突出片溝部７５６の突出溝部７５６ｂに挿入されると、上下方向の移動が拘束される。
【０１０６】
図１２および図１３に示すように、カバー部材７３は、肘掛け本体支持部７２の第１基部７２１を覆っている。カバー部材７３は、筒状に形成されていて、第１斜め方向に開口する向きに配置されている。カバー部材７３は、第１基部７２１の前面７２１ａを覆う前板部７３１と、第１基部７２１の後面７２１ｂを覆う後板部７３２と、第１基部７２１の上面７２１ｃを覆う上板部７３３、第１基部７２１の下面７２１ｄを覆う下板部７３４と、を有している。
【０１０７】
前板部７３１は、上端部が第１基部７２１の上面７２１ｃよりも上側に位置し、下端部が第１基部７２１の下面７２１ｄよりも下側に位置している。前板部７３１の第１斜め方向の内側の端部は、第１基部７２１の第１側面７２１ｅと重なる位置に配置されている。前板部７３１の第１斜め方向の外側の縁部は、第１基部７２１の第１斜め方向外側の縁部と重なる位置に配置されている。
前板部７３１の前面７３１ａには、第１斜め方向の中間部に上下方向に延びる前板段部７３１ｂが形成されている。前板部７３１は、前板段部７３１ｂよりも第１斜め方向の外側の外側部分７３１ｃが前板段部７３１ｂよりも第１斜め方向の内側の内側部分７３１ｄよりも前側に位置している。
【０１０８】
後板部７３２は、上端部が第１基部７２１の上面７２１ｃよりも上側に位置し、下端部が第１基部７２１の下面７２１ｄよりも下側に位置している。前板部７３１の第１斜め方向の内側の端部は、第１基部７２１の第１側面７２１ｅと重なる位置に配置されている。前板部７３１の第１斜め方向の外側の縁部は、第１基部７２１の第１斜め方向外側の縁部と重なる位置に配置されている。
【０１０９】
上板部７３３は、前縁部が前板部７３１の上縁部と接続され、後縁部が後板部７３２の上縁部と接続されている。上板部７３３の第１斜め方向の外側の縁部は、第１基部７２１の第１斜め方向の外側の縁部近傍と重なる位置に配置されている。上板部７３３は、前板部７３１および後板部７３２よりも幅方向の内側に突出している。上板部７３３における前板部７３１および後板部７３２よりも幅方向の内側に突出している部分を突出板部７３３ｂとする。突出板部７３３ｂは、第１基部７２１よりも幅方向の内側に突出している。
上板部７３３の下側には、上板部７３３の下面から下側に突出する上リブ７３５が複数形成されている。上リブ７３５は、下端部が第１基部７２１の上面７２１ｃと当接するように構成されている。
【０１１０】
下板部７３４は、前縁部が前板部７３１の下縁部と接続され、後縁部が後板部７３２の下縁部と接続されている。下板部７３４の幅方向の外側の縁部は、第１基部７２１の幅方向の外側の縁部近傍と重なる位置に配置されている。下板部７３４の幅方向の内側の縁部は、第１基部７２１の第１側面７２１ｅの下側に重なる位置に配置されている。
下板部７３４の上側には、下板部７３４の上面から上側に突出する複数の下側リブ７３６と、下側リブ７３６の上側に設けられる内板部７３７と、が設けられている。内板部７３７は、板面が略上下方向を向き、前縁部が前板部７３１に接続され、後縁部が後板部７３２に接続されている。内板部７３７の上面は、第１基部７２１の下面７２１ｄと当接するように構成されている。
【０１１１】
（肘掛けの組立方法）
肘掛け７は、肘掛け本体７１と肘掛け本体支持部７２とが連結され、肘掛け本体７１に連結された肘掛け本体支持部７２の第１基部７２１にカバー部材７３が取り付けられた状態で、肘掛け本体支持部７２が背凭れ支持部２４に固定されている。
肘掛け７を組み立てるには、まず、図１９に示すように、上部杆７１１の板金部材７１６とレール部材７７とを溶接する。なお、図１９では、肘置き部１３および上板部７８３が取り付けられているが、本実施形態では、肘置き部１３および上板部７８３は、後の工程で取り付けるものとする。
続いて、高さ位置拘束手段７９をレール部材７７に取り付けるとともに、操作レバー７１５を板金部材７１６に回動可能に取り付ける。
高さ位置拘束手段７９のばね７９４をレール部材７７の凸条部下側部分７７９の上部に設置し、高さ位置拘束手段７９の移動部７９１をレール部材７７の凸条部先端側溝部７７５に配置する。ばね７９４は、移動部７９１のピン支持部７９７と凸条部下側部分７７９との間に挟まれた状態となる。
移動部７９１のピン支持部７９７の長孔部７９７ａおよびレール部材７７の２つの溝部形成片突出部７７７の溝部形成片切り欠き部７７７ａにピン７９３を第２斜め方向から挿入する。
操作レバー７１５の押圧部７１５ｂを移動部７９１の操作レバー接続部７９６の上部に配置する。
【０１１２】
続いて、図２６に示すように、レール部材７７と肘掛け本体支持部７２の前側部材７４および後側部材７５とを、連結する。
まず、図２５に示す前側部材７４の第１前側突出片溝部７４５に第１抜け止め防止部材７６３を設置し、後側部材７５の第１後側突出片溝部７５５に第２抜け止め防止部材７６４を設置する。
また、前側部材７４の前側突出片７４２の第１斜め方向の外側の端面および後面に、第１滑り材７６１を張り付け、後側部材７５の後側突出片７５２の第１斜め方向の外側の端面および前面に、第２滑り材７６２を張り付ける。
【０１１３】
そして、前側部材７４の前側突出片７４２と後側部材の後側突出片７５２とでレール部材７７の凸条部７７２を前後方向から挟み、第１抜け止め防止部材７６３を、レール部材７７の凸条部前側溝部７７２ｃに配置し、第２抜け止め防止部材７６４を、凸条部後側溝部７７２ｄに配置する。そして、前側部材７４の前側連結部７４１と後側部材７５の後側連結部７５１とをボルトなどの連結具で連結する。
【０１１４】
前側部材７４は、前側突出片７４２に張り付けられた第１滑り材７６１がレール部材７７の第２基部７７１の内側面７７１ａおよび凸条部７７２の前面７７２ａと当接している。後側部材７５は、後側突出片７５２に張り付けられた第２滑り材７６２がレール部材７７の第２基部７７１の内側面７７１ａおよび凸条部７７２の後面７７２ｂと当接している。なお、レール部材７７に滑り材が張り付けられて、その滑り材に前側突出片７４２および後側突出片７５２が摺動可能に当接していてもよい。
ここで、上記のように設置された、板金部材７１６、レール部材７７、高さ位置拘束手段７９および操作レバー７１５を肘掛け内部材７１７とする。
【０１１５】
続いて、肘掛け内部材７１７に肘掛け本体カバー部７１４の上板部７８３以外を取り付ける。
まず、図２７に示すように、肘掛け本体支持部７２の前側部材７４および後側部材７５をレール部材７７の上部側に移動させ、肘掛け本体カバー部７１４の下側内板部７８４をレール部材７７の下部側に取り付ける。図２８に示すように、肘掛け本体カバー部７１４の本体部７８１を、肘掛け内部材７１７に下側から取り付ける。このとき、下側内板部７８４を、本体部７８１の開口部７８１ａの下部側にはめ込む。
図１８に示す肘掛け本体カバー部７１４の上側内板部７８５を本体部７８１の開口部７８１ａに上側から差し込んではめ込む。これにより、肘掛け内部材７１７に肘掛け本体カバー部７１４上板部７８３以外が取り付けられる。
【０１１６】
続いて、肘掛け本体７１と連結された肘掛け本体支持部７２の第１基部７２１にカバー部材７３を取り付ける。
カバー部材７３は、肘掛け本体支持部７２に第１斜め方向の内側から装着する。
続いて、肘乗せ部７１３を板金部材７１６に固定する。肘掛け本体カバー部７１４の上板部７８３を肘掛け本体カバー部７１４の本体部７８１および上側内板部７８５の上部に取り付ける。なお、肘乗せ部７１３の板金部材７１６への固定および肘掛け本体カバー部７１４の上板部７８３の取り付けは、肘掛け７を背凭れ支持部２４に固定した後に行ってもよい。
本実施形態では、上記のように肘掛け本体７１と肘掛け本体支持部７２とが連結されると、レール部材７７の下側突出片７７４および上側突出片７７３は、肘掛け本体カバー部７１４と係合して連結されるように構成されている。これにより、レール部材７７と肘掛け本体カバー部７１４との位置ずれが防止される。
【０１１７】
肘掛け本体７１と肘掛け本体支持部７２とが連結されると、肘掛け本体７１のレール部材７７と肘掛け本体支持部７２の前側突出片７４２および後側突出片７５２とが互いに摺動して上下方向に相対変位することで、肘掛け本体７１が肘掛け本体支持部７２に対して高さを変えることができる。
図１２および図１３に示すように、肘掛け本体７１が肘掛け本体支持部７２に対して最下位置にあると、肘掛け本体支持部７２がレール部材７７の上部側に位置している。図２６に示すように、レール部材７７は、上側突出片７７３が肘掛け本体支持部７２の前側突出片７４２および後側突出片７５２の上端部と当接すると、これ以上の肘掛け本体支持部７２に対する下側への移動が拘束される。
【０１１８】
これに対し、図２９および図３０に示すように、肘掛け本体７１が肘掛け本体支持部７２に対して最上位置にあると、肘掛け本体支持部７２がレール部材７７の下部側に位置している。肘掛け本体７１がいずれの位置にある場合でも、肘掛け本体支持部７２は、高さ方向の全体がレール部材７７を係止した状態で肘掛け本体７１を支持している。図２９に示すように、レール部材７７は、下側突出片７７４が肘掛け本体支持部７２の前側突出片７４２および後側突出片７５２の下端部と当接すると、これ以上の肘掛け本体支持部７２に対する上側への移動が拘束される。
【０１１９】
（肘掛けの背凭れ支持部への取り付け方法）
続いて、肘掛け７を背凭れ支持部２４に取り付ける方法について説明する。
以下では、肘掛け７は、上記のように肘掛け本体支持部７２と肘掛け本体７１とが連結され、肘掛け本体支持部７２の第１基部７２１にカバー部材７３が取り付けられた状態であるものとする。
また、肘掛け７は、背凭れ本体４１が背凭れ支持部２４に固定された後に、互いに連結された背凭れ支持部２４および背凭れ本体４１との間の凹部２７に肘掛け本体支持部７２およびカバー部材７３が差し込まれるようにして背凭れ支持部２４に固定される。上述しているが、凹部２７は、背凭れ支持部２４の突出板部２６、連結部５における連結部外側面５４、および背凭れ本体４１の縦枠部４６の面材係止部４６３に囲まれて第１斜め方向の外側に開口している。
【０１２０】
図８および図９に示すように、肘掛け７を背凭れ支持部２４に固定するには、まず、肘掛け本体支持部７２における第１斜め方向の内側の部分を凹部２７に挿入する。
このとき、肘掛け本体支持部７２の前側部材７４の上下２つの第４孔部７４３が連結部５の上下２つの第２孔部５６とそれぞれ第１斜め方向に重なるよう、肘掛け７を凹部２７に挿入する。
そして、第１基部７２１の第１側面７２１ｅを背凭れ支持部２４の連結部５における連結部外側面５４と当接させるとともに、カバー部材７３の前板部７３１、後板部７３２および下板部７３４（図１３参照）それぞれの第１斜め方向の内側の縁部を連結部外側面５４と当接させる。カバー部材７３の上板部７３３の突出板部７３３ｂを連結部５の上側に配置し、突出板部７３３ｂの下面と連結部５の上面とを当接させる。カバー部材７３の前板部７３１の前面７３１ａにおける内側部分７３１ｄを背凭れ本体４１の縦枠部４６の面材係止部４６３の後面と当接させる。
【０１２１】
連結部５および肘掛け本体支持部７２は、面材４３の後側に位置し、連結部５の第２孔部５６、および肘掛け本体支持部７２の第４孔部７４３は、幅方向の外側よりも前側を向く斜め方向に開口している。この第２孔部５６および第４孔部７４３の開口方向は、背凭れ本体４１に沿った方向となっている。そして、この第２孔部５６および第４孔部７４３の開口方向は、幅方向の内側から外側に向かって背凭れ面４３１に近接する方向となっている。
第２ボルト６２は、第２孔部５６および第４孔部７４３に幅方向の内側から外側に向かって挿入される。このため、第２ボルト６２は、背凭れ面４３１と離間している側から背凭れ面４３１に近接する側に向かうようにして第２孔部５６および第４孔部７４３に挿通されるように構成されている。
第２孔部５６および第４孔部７４３に幅方向の内側から第２ボルト６２を挿通してナットと締結することで、肘掛け本体支持部７２の前側部材７４が連結部５と連結され、肘掛け７が背凭れ支持部２４に固定される。
このとき、連結部前面５１と、カバー部材７３の前板部７３１の前面７３１ａにおける内側部分７３１ｄと、は略面一に配置されている。
【０１２２】
肘掛け本体支持部７２およびカバー部材７３は、背凭れ支持部２４の突出板部２６と、縦枠部４６の面材係止部４６３と、に前後から挟まれた状態となり、肘掛け本体支持部７２およびカバー部材７３と連結部５との連結部分が被覆されている。縦枠部４６の面材係止部４６３の幅方向の外側の端部は、カバー部材７３の前板部７３１の前板段部７３１ｂに沿って配置され、前板段部７３１ｂに幅方向の内側から当接した状態となっている。このため、カバー部材７３と縦枠部４６とは幅方向にずれることが防止されている。
【０１２３】
図２に示すように、肘掛け本体支持部７２およびカバー部材７３は、背凭れ本体４１よりも幅方向の外側に突出し、肘掛け本体支持部７２に支持された肘掛け本体７１は、背凭れ本体４１と離間し、外周枠部４２よりも幅方向の外側に位置している。肘掛け本体７１の上部杆７１１は、前後方向に延びている。肘掛け本体７１の上部杆７１１の肘乗せ部７１３は、背凭れ本体４１よりも前側に配置されているため、背凭れ本体４１と離間している。
なお、肘掛け７を背凭れ支持部２４に固定した後に、背凭れ本体４１を背凭れ支持部２４に固定するようにしてもよい。
【０１２４】
次に、上述した本実施形態による背凭れおよび椅子の作用・効果について図面を用いて説明する。
上述した本実施形態による肘掛け７、背凭れ４および椅子１では、肘掛け本体支持部７２は、互いに連結される前側部材７４と後側部材７５とを有し、前側部材７４の前側突出片７４２と後側部材７５の後側突出片７５２との間に昇降溝部７４４が形成され、この昇降溝部７４４に肘掛け本体７１の凸条部７７２が配置されている。このため、前側部材７４と後側部材７５とを、前側部材７４の前側突出片７４２と後側部材７５の後側突出片７５２とで凸条部７７２を第２斜め方向から挟むように配置して連結することで、凸条部７７２が昇降溝部７４４に挿入された状態とすることができる。前側部材７４と後側部材７５とを連結する前には、昇降溝部７４４の内部を目視することができるため。昇降溝部７４４の内部に凸条部７２２が正しい向きに配置されているかどうかを確認することができ、肘掛け本体支持部７２と肘掛け本体７１とを容易にかつ確実に係合させることができる。
また、組立の際に、肘掛け本体支持部７２や肘掛け本体７１を上下方向に移動させて凸条部７７２を昇降溝部７４４に挿入させる構成ではないため、肘掛け本体支持部７２や肘掛け本体７１の移動に伴う部材間の干渉が生じることを防止することができる。
これらのことにより、肘掛け本体７１と肘掛け本体支持部７２との組み立てを容易にかつ確実に行うことができる。
【０１２５】
また、本実施形態では、前側突出片７４２には、第２斜め方向の後側に開口し、上下方向に延びる第１前側突出片溝部７４５が形成され、後側突出片７５２には、第２斜め方向の前側に開口し、上下方向に延びる第１後側突出片溝部７５５が形成されている。凸条部７７２には、第２斜め方向の前側に開口し、上下方向に延びる凸条部前側溝部７７２ｃと、第２斜め方向の後側に開口し、上下方向に延びる凸条部後側溝部７７２ｄと、が形成されている。第１前側突出片溝部７４５と凸条部前側溝部７７２ｃとは、第２斜め方向に対向し、前側突出片７４２と凸条部７７２との間には、第１前側突出片溝部７４５および凸条部前側溝部７７２ｃに一体に挿入されて、前側突出片７４２および凸条部７７２と上下方向に相対移動可能な第１抜け止め防止部材７６３が設けられている。また、第１後側突出片溝部７５５と凸条部後側溝部７７２ｄとは、第２斜め方向に対向し、後側突出片７５２と凸条部７７２との間には、第１後側突出片溝部７５５および凸条部後側溝部７７２ｄに一体に挿入されて、後側突出片７５２および凸条部７７２と上下方向に相対移動可能な第２抜け止め防止部材７６４が設けられている。
このような構成とすることにより、第１抜け止め防止部材７６３および第２抜け止め防止部材７６４によって、肘掛け本体７１と肘掛け本体支持部７２とが第１斜め方向に位置ずれして離間することを防止することができる。
そして、前側突出片７４２を有する前側部材７４と後側突出片７５２を有する後側部材７５とは互いに連結される別部材であるため、前側部材７４と後側部材７５とを連結する前に、第１抜け止め防止部材７６３および第２抜け止め防止部材７６４が正しい向きに配置されているかどうかを目視することができる。これにより、第１抜け止め防止部材７６３および第２抜け止め防止部材７６４を容易に設置することができる。
【０１２６】
また、本実施形態では、肘掛け本体７１を覆う肘掛け本体カバー部７１４を有し、凸条部７７２、前側突出片７４２および後側突出片７５２が肘掛け本体カバー部７１４の内部に配置されている。
このような構成とすることにより、肘掛け本体７１と肘掛け本体支持部７２との連結部分が露出しないため、肘掛け７の意匠性を向上させることができる。
【０１２７】
また、本実施形態では、肘掛け本体支持部７２を覆うカバー部材７３を有している。
このような構成とすることにより、肘掛け本体支持部７２の前側部材７４と後側部材７５との連結部分が露出しないため、肘掛け７の意匠性を向上させることができる。
【０１２８】
以上、本発明による肘掛け、背凭れおよび椅子の実施形態について説明したが、本発明は上記の実施形態に限定されるものではなく、その趣旨を逸脱しない範囲で適宜変更可能である。
例えば、上記の実施形態では、肘掛け７は背凭れ本体４１の幅方向の外側に配置されているが、背凭れ本体４１の前側など、背凭れ本体４１の幅方向の外側以外に設けられていてもよい。
また、上記の実施形態では、肘掛け本体７１と肘掛け本体支持部７２の位置ずれを防止する機構として、肘掛け本体７１と肘掛け本体支持部７２との間に第１抜け止め防止部材７６３および第２抜け止め防止部材７６４が設けられているが、肘掛け本体７１と肘掛け本体支持部７２の位置ずれを防止する機構は上記以外であってもよい。
また、上記の実施形態では、肘掛け本体カバー部７１４の内板部７８２が凸条部７７２および昇降溝部７４４の外部への露出を遮蔽しているが、このような肘掛け本体カバー部７１４が設けられていなくてもよい。
また、上記の実施形態では、肘掛け本体支持部７２を覆うカバー部材７３が設けられているが、上記のようなカバー部材７３が設けられていなくてもよい。
【０１２９】
また、上記の実施形態では、肘掛け本体７１に凸条部７７２が形成され、肘掛け本体支持部７２に凸条部７７２が挿入される昇降溝部７４４が形成されているが、肘掛け本体７１に溝部が形成され、肘掛け本体支持部７２に溝部に挿入される凸条部が形成されていてもよい。このような場合は、肘掛け本体７１が、本実施形態の前側部材７４および後側部材７５に対応する凸条部を挟むように配置されて連結される第１部材および第２部材を有している構成とする。
【０１３０】
また、上記の実施形態では、肘掛け本体支持部７２は、背凭れ支持部２４に固定されているが、背凭れ支持部２４以外の、例えば背凭れ本体４１に固定されていてもよい。
また、上記の実施形態では、肘掛け本体支持部７２の前側部材７４が連結部５と連結されることで、肘掛け７が背凭れ支持部２４に固定されている。これに対し、肘掛け本体支持部７２の後側部材７４が連結部５と連結可能に構成されていて、後側部材７４が連結部５と連結されることで、肘掛け７が背凭れ支持部２４に固定されていてもよい。
また、肘掛け本体支持部７２の前側部材７４または後側部材７５のいずれか一方側が背凭れ支持部２４に一体に設けられていてもよい。また、肘掛け本体支持部７２の前側部材７４または後側部材７５のいずれか一方側が背凭れ本体４１に一体に設けられていてもよい。例えば、肘掛け本体支持部７２の前側部材７４または後側部材７５のいずれか一方側が背凭れ本体４１の外周枠部４２に一体に設けられていてもよい。
【符号の説明】
【０１３１】
１  椅子
２  支持構造体
４  背凭れ
７  肘掛け
２４  背凭れ支持部
４１  背凭れ本体
７１  肘掛け本体
７２  肘掛け本体支持部
７３  カバー部材（第２カバー部）
７４  前側部材（第１部材）
７５  後側部材（第２部材）
７７  レール部材（第２係合部）
７１４  肘掛け本体カバー部
７２３  昇降溝形成部（第１係合部）
７４２  前側突出片（側壁部）
７４４  昇降溝部（溝）
７４５  第１前側突出片溝部（第１溝部）
７５２  後側突出片（側壁部）
７５５  第１後側突出片溝部（第１溝部）
７６３  第１抜け止め防止部材
７６４  第２抜け止め防止部材
７７２  凸条部
７７２ｃ  凸条部前側溝部（第２溝部）
７７２ｄ  凸条部後側溝部（第２溝部）
７８２  内板部（第１カバー部）
【図１】
2020062346.tif 000003
【図２】
2020062346.tif 000004
【図３】
2020062346.tif 000005
【図４】
2020062346.tif 000006
【図５】
2020062346.tif 000007
【図６】
2020062346.tif 000008
【図７】
2020062346.tif 000009
【図８】
2020062346.tif 000010
【図９】
2020062346.tif 000011
【図１０】
2020062346.tif 000012
【図１１】
2020062346.tif 000013
【図１２】
2020062346.tif 000014
【図１３】
2020062346.tif 000015
【図１４】
2020062346.tif 000016
【図１５】
2020062346.tif 000017
【図１６】
2020062346.tif 000018
【図１７】
2020062346.tif 000019
【図１８】
2020062346.tif 000020
【図１９】
2020062346.tif 000021
【図２０】
2020062346.tif 000022
【図２１】
2020062346.tif 000023
【図２２】
2020062346.tif 000024
【図２３】
2020062346.tif 000025
【図２４】
2020062346.tif 000026
【図２５】
2020062346.tif 000027
【図２６】
2020062346.tif 000028
【図２７】
2020062346.tif 000029
【図２８】
2020062346.tif 000030
【図２９】
2020062346.tif 000031
【図３０】
2020062346.tif 000032